(57)【要約】      （修正有）【課題】内服薬を溶解または懸濁して投与するにあたり、懸濁したものを注射器などを用いずにそのまま患者のカテーテルなどに接続して投与できる容器を提供する。  【解決手段】容易に圧縮できる円筒形の本体と注入管と一体になった蓋で構成される簡易懸濁法容器を用いて、注入管と患者側のカテーテルを直接接続することによって内容物を容易に患者に投与できる。【選択図】図１
0003159497.tif 000002
【実用新案登録請求の範囲】
【請求項１】
簡易懸濁法容器は、薬剤などを温湯で溶解または懸濁して患者に装着してあるカテーテルに注入するもので、懸濁容器から直接カテーテルの注入口に接続できる形態を有する容器。
【考案の詳細な説明】
【技術分野】
【０００１】本考案は、内服薬を懸濁法で投与するにあたり、簡便に操作できる容器を考案したものである。
【背景技術】
【０００２】内服薬を溶解または懸濁して投与するにあたり、容器で内服薬を溶解または懸濁して、これを注射器などで吸引して投与している。
【考案の開示】
【考案が解決しようとする課題】
【０００３】内服薬を溶解または懸濁して投与するにあたり、懸濁したものを注射器などを用いずにそのまま患者のカテーテルなどに接続して投与できる容器を作成する。
【問題を解決するための手段】
【０００４】内服薬を溶解または懸濁して投与する目的で下記の構造の容器を作成する。
イ）  内服薬を投入して溶解または懸濁するに供する本体部分。
ロ）  本体の蓋で注入管を有する。
ハ）  注入管の蓋（キャップ）。
【考案の効果】
【０００５】上述の構造の容器を使用すれば、溶解または懸濁した内服薬を患者のカテーテルなどに注射器などを用いずに直接接続して注入出来るので、手間と費用を節約出来る。
【考案を実施するための最良の形態】
【０００６】イ）  本体部分は直径約０．０５ｍ長さ約０．１ｍ（容量約０．２Ｌ）の円筒で、把持して蓋をねじ込んでも変形しない程度の硬さで内容物を容易に圧出でき且つ机上に立てることができる。
ロ）  本体の蓋は、本体にねじ込んで接続するもので本体の円筒形の部分より硬い材質で作られ、中央に患者側のカテーテルなどに接続できるやや先細りの管状で長さ約０．０５ｍ（先端の直径（外側）０．００５ｍ、本体の蓋に接続している部分の直径（外側）約０．０１２〜０．０１５ｍ）で先端に蓋（キャップ）を有する注入管と一体になった直径約０．０５ｍ長さ約０．０２ｍの円筒形とする。
ハ）  注入管の蓋（キャップ）は注入管の先端に被せるように装着できて自然脱落防止用に凹凸の環状構造を持ち、細い紐または帯状のもので蓋の一部に接続されている。
【実施例】
【０００７】１．  以下、添付図面に従って実施例を説明する。１は注入管の蓋（キャップ）、２は注入管、３は注入管付きの本体の蓋、４は本体、５は注入管の蓋（キャップ）と注入管付きの本体の蓋をつなぐ紐または帯状の物、６は本体の蓋及び本体のねじ部分、７は注入管の脱落防止の凸状構造物、８は注入管の蓋（キャップ）の脱落防止の凹状構造物。【０００８】材質について
１）  本体
ａ）内容を手で容易に圧出でき且つ容易に自然に復元する弾力性を有する。
ｂ）６０〜７０℃の湯を注いで放置した場合でも人体に有害な物質が溶出せず変形しない。また、机上に立てて並べておくことができる。
ｃ）ほぼ透明で内容物の状態を容器の外から観察可能で外面に目盛を印刷できる。
２）  本体の蓋
シッカリ保持できるように硬いが多少弾性があり、６０〜７０℃の湯を注いで放置した場合でも人体に有害な物質が溶出せず変形もしない。
３）  注入管
本体の蓋と同じ材質で本体の蓋と一体になっている。
４）  注入管の蓋（キャップ）
本体の蓋と同一の材質である。
５）  注入管の蓋（キャップ）と注入管付きの本体の蓋をつなぐ紐または帯状の物
本体の蓋と同一の材質である。
【図面の簡単な説明】
【０００９】  図面には各部の説明のため番号を付ける。
【図１】は簡易懸濁法容器の全体を示す。
【図２】は注入管及び本体の蓋の表（上）側
【図３】は注入管及び本体の蓋の裏（下）側。
【図４】は注入管の蓋（キャップ）の側面・注入管・本体の蓋・注入管の蓋（キャップ）の構造を示す。注入管の蓋（キャップ）は注入管の先端にぴったり適合し脱落を防止する凹凸を有し、紐または帯状の物で本体の蓋に結合される。
【図５】は注入管の先端部分及び蓋（キャップ）を拡大して示し、脱落防止の凹凸部の構造を示す。
【図６】は本体の蓋を外した本体の側面を示す。
【図７】は本体の蓋を外した本体の構造を示す（上面）。
【図８】は本体の蓋を外した本体の構造を示す（側面）。
【符号の説明】１    注入管の蓋（キャップ）
２．  注入管
３．  簡易懸濁法容器本体の蓋
４．  簡易懸濁法容器の本体
５．  注入管の蓋（キャップ）と簡易懸濁法容器の蓋を連結する紐または帯状物
６．  簡易懸濁法容器の蓋と本体を接合するねじ部分
７．  注入管の蓋（キャップ）の脱落防止の凸状構造物
８．  注入管の蓋（キャップ）の脱落防止の凹状構造物
【図１】
0003159497.tif 000003
【図２】
0003159497.tif 000004
【図３】
0003159497.tif 000005
【図４】
0003159497.tif 000006
【図５】
0003159497.tif 000007
【図６】
0003159497.tif 000008
【図７】
0003159497.tif 000009
【図８】
0003159497.tif 000010
【手続補正書】
【提出日】平成21年12月25日(2009.12.25)
【手続補正１】
【補正対象書類名】実用新案登録請求の範囲
【補正対象項目名】全文
【補正方法】変更
【補正の内容】
【実用新案登録請求の範囲】
【請求項１】
簡易懸濁法容器は、薬剤などを温湯で溶解または懸濁して患者に装着してあるカテーテルに注入するもので、直接カテーテルの注入口に接続できる形態を有する簡易懸濁容器容器。
【手続補正２】
【補正対象書類名】明細書
【補正対象項目名】全文
【補正方法】変更
【補正の内容】
【考案の詳細な説明】
【技術分野】
【０００１】本考案は、内服薬を簡易懸濁法で投与するにあたり、簡便に操作できる簡易懸濁法容器を考案したものである。
【背景技術】
【０００２】内服薬を溶解または懸濁して投与するにあたり、容器で内服薬を溶解または懸濁してこれを注射器などで吸引して投与している。
【考案の開示】
【考案が解決しようとする課題】
【０００３】  内服薬を溶解または懸濁して投与するにあたり、溶解または懸濁したものを注射器などを用いないでそのまま患者のカテーテルなどに接続して投与できる簡易懸濁法容器を作成する。
【問題を解決するための手段】
【０００４】  内服薬を溶解または懸濁して投与する目的で下記の構造の簡易懸濁法容器を作成する。
イ）  内服薬を投入して溶解または懸濁するに供する本体部分。
ロ）  本体の蓋で注入管を有する。
ハ）  注入管の蓋（キャップ）。
【考案の効果】
【０００５】  上述の構造の簡易懸濁法容器を使用すれば、溶解または懸濁した内服薬を注射器などを用いないで患者のカテーテルなどに直接接続して注入出来るので、手間と費用を節約出来る。
【考案を実施するための最良の形態】
【０００６】イ）  本体部分は直径約０．０５ｍ長さ約０．１ｍ（容量約０．２Ｌ）の円筒で、把持して蓋をねじ込んでも変形しない程度の硬さで内容物を容易に圧出でき且つ机上に立てることができる。
ロ）  本体の蓋は、本体にねじ込んで接続するもので本体の円筒形の部分より硬い材質で作られ、中央に患者側のカテーテルなどに接続できるやや先細りの管状で長さ約０．０５ｍ（先端の直径（外側）約０．００５ｍ、本体の蓋に接続している部分の直径（外側）約０．０１２〜０．０１５ｍ）で先端に蓋（キャップ）を有する注入管と一体になった直径約０．０５ｍ長さ約０．０２ｍの円筒形とする。
ハ）  注入管の蓋（キャップ）は注入管の先端に被せるように装着できて自然脱落防止用に凹凸の環状構造を有するもので、細い紐または帯状のもので蓋の一部に接続されている。
【実施例】
【０００７】  以下、添付図面に従って実施例を説明する。１は注入管の蓋（キャップ）、２は注入管、３は注入管付きの本体の蓋、４は本体、５は注入管の蓋（キャップ）と注入管付きの本体の蓋をつなぐ紐または帯状の物、６は本体の蓋及び本体のねじ部分、７は注入管の脱落防止の凸状構造物、８は注入管の蓋（キャップ）の脱落防止の凹状構造物。【０００８】  材質について
１）  本体
ａ）内容を手で容易に圧出でき且つ容易に自然に復元する弾力性を有する。
ｂ）６０〜７０℃の湯を注いで放置しても人体に有害な物質が溶出せず変形しない。また、机上に立てて並べておくことができる。
ｃ）ほぼ透明で内容物の状態を容器の外から観察可能で外面に目盛を印刷できる。
２）  本体の蓋
シッカリ保持できるように硬いが多少弾性があり、６０〜７０℃の湯を注いで放置しても人体に有害な物質が溶出せず変形もしない。
３）  注入管
本体の蓋と同じ材質で本体の蓋と一体になっている。
４）  注入管の蓋（キャップ）
本体の蓋と同一の材質である。
５）  注入管の蓋（キャップ）と注入管付きの本体の蓋をつなぐ紐または帯状の物
本体の蓋と同一の材質である。
【図面の簡単な説明】
【０００９】  図面には各部の説明のため番号を付ける。
【図１】は簡易懸濁法容器の全体を示す。
【図２】は注入管及び本体の蓋の表（上）側
【図３】は注入管及び本体の蓋の裏（下）側。
【図４】は注入管の蓋（キャップ）の側面・注入管・本体の蓋・注入管の蓋（キャップ）の構造を示す。注入管の蓋（キャップ）は注入管の先端にぴったり適合し脱落を防止する凹凸を有し、紐または帯状の物で本体の蓋に結合される。
【図５】は注入管の先端部分及び蓋（キャップ）を拡大して示したもので、脱落防止の凹凸部の構造を示す。
【図６】は本体の蓋を外した本体の側面を示す。
【図７】は本体の蓋を外した本体の構造を示す（上面）。
【図８】は本体の蓋を外した本体の構造を示す（側面）。
【符号の説明】１    注入管の蓋（キャップ）
１．  注入管
２．  簡易懸濁法容器本体の蓋
３．  簡易懸濁法容器の本体
４．  注入管の蓋（キャップ）と簡易懸濁法容器の蓋を連結する紐または帯状物
５．  簡易懸濁法容器の蓋と本体を接合するねじ部分
６．  注入管の蓋（キャップ）の脱落防止の凸状構造物
８．  注入管の蓋（キャップ）の脱落防止の凹状構造物
【手続補正書】
【提出日】平成22年3月2日(2010.3.2)
【手続補正１】
【補正対象書類名】実用新案登録請求の範囲
【補正対象項目名】全文
【補正方法】変更
【補正の内容】
【実用新案登録請求の範囲】
【請求項１】
簡易懸濁法容器は、薬剤などを温湯で溶解または懸濁して患者に装着してあるカテーテルに直接接続して注入するもので、本体部分は直径約０．０５ｍ長さ約０．１ｍ（容量約０．２Ｌ）の円筒で、把持して蓋をねじ込んでも変形せず内容物を容易に圧出でき且つ机上に立てることができる程度の硬さのものであって、本体の蓋は本体にねじ込んで接続するので本体の円筒形の部分より硬い材質で作られ、中央に患者側のカテーテルなどに接続できる先細りの管状で長さ約０．０５ｍ（先端の直径（外側）約０．００５ｍ、本体の蓋に接続している部分の直径（外側）約０．０１２〜０．０１５ｍ）で先端に蓋（キャップ）を有する注入管と一体になった直径約０．０５ｍ長さ約０．０２ｍの円筒形を呈し、注入管の蓋（キャップ）は注入管の先端に被せるように装着できて自然脱落防止用に凹凸の環状構造を有し細い紐または帯状のもので蓋の一部に接続されている簡易懸濁法容器である。
【手続補正２】
【補正対象書類名】明細書
【補正対象項目名】全文
【補正方法】変更
【補正の内容】
【考案の詳細な説明】
【技術分野】
【０００１】  本考案は、内服薬を簡易懸濁法で投与するにあたり、簡便に操作できる簡易懸濁法容器を考案したものである。
【背景技術】
【０００２】  内服薬を溶解または懸濁して投与するにあたり、容器で内服薬を溶解または懸濁してこれを注射器などで吸引して投与している。
【考案の開示】
【考案が解決しようとする課題】
【０００３】  内服薬を溶解または懸濁して投与するにあたり、溶解または懸濁したものを注射器などを用いないでそのまま患者のカテーテルなどに接続して投与できる簡易懸濁法容器を作成する。
【問題を解決するための手段】
【０００４】  内服薬を溶解または懸濁して投与する目的で下記の構造の簡易懸濁法容器を作成する。
イ）  内服薬を投入して溶解または懸濁するに供する本体部分。
ロ）  本体の蓋で注入管を有する。
ハ）  注入管の蓋（キャップ）。
【考案の効果】
【０００５】  上述の構造の簡易懸濁法容器を使用すれば、溶解または懸濁した内服薬を注射器などを用いないで患者のカテーテルなどに直接接続して注入出来るので、手間と費用を節約出来る。
【考案を実施するための最良の形態】
【０００６】イ）  本体部分は直径約０．０５ｍ長さ約０．１ｍ（容量約０．２Ｌ）の円筒で、把持して蓋をねじ込んでも変形しない程度の硬さで内容物を容易に圧出でき且つ机上に立てることができる。
ロ）  本体の蓋は、本体にねじ込んで接続するもので本体の円筒形の部分より硬い材質で作られ、中央に患者側のカテーテルなどに接続できるやや先細りの管状で長さ約０．０５ｍ（先端の直径（外側）約０．００５ｍ、本体の蓋に接続している部分の直径（外側）約０．０１２〜０．０１５ｍ）で先端に蓋（キャップ）を有する注入管と一体になった直径約０．０５ｍ長さ約０．０２ｍの円筒形とする。
ハ）  注入管の蓋（キャップ）は注入管の先端に被せるように装着できて自然脱落防止用に凹凸の環状構造を有するもので、細い紐または帯状のもので蓋の一部に接続されている。
【実施例】
【０００７】  以下、添付図面に従って実施例を説明する。１は注入管の蓋（キャップ）、２は注入管、３は注入管付きの本体の蓋、４は本体、５は注入管の蓋（キャップ）と注入管付きの本体の蓋をつなぐ紐または帯状の物、６は本体の蓋及び本体のねじ部分、７は注入管の脱落防止の凸状構造物、８は注入管の蓋（キャップ）の脱落防止の凹状構造物。【０００８】    材質について
１）  本体
ａ）内容を手で容易に圧出でき且つ容易に自然に復元する弾力性を有する。
ｂ）６０〜７０℃の湯を注いで放置しても人体に有害な物質が溶出せず変形しない。
また、机上に立てて並べておくことができる。
ｃ）ほぼ透明で内容物の状態を容器の外から観察可能で外面に目盛を印刷できる。
２）  本体の蓋
シッカリ保持できるように硬いが多少弾性があり、６０〜７０℃の湯を注いで放        置しても人体に有害な物質が溶出せず変形もしない。
３）  注入管
本体の蓋と同じ材質で本体の蓋と一体になっている。
４）  注入管の蓋（キャップ）
本体の蓋と同一の材質である。
５）  注入管の蓋（キャップ）と注入管付きの本体の蓋をつなぐ紐または帯状の物
本体の蓋と同一の材質である。
【図面の簡単な説明】
【０００９】    図面には各部の説明のため番号を付ける。
【図１】は簡易懸濁法容器の全体を示す。
【図２】は注入管及び本体の蓋の表（上）側
【図３】は注入管及び本体の蓋の裏（下）側。
【図４】は注入管の蓋（キャップ）の側面・注入管・本体の蓋・注入管の蓋（キャップ）の構造を示す。注入管の蓋（キャップ）は注入管の先端にぴったり適合し脱落を防止する凹凸を有し、紐または帯状の物で本体の蓋に結合される。
【図５】は注入管の先端部分及び蓋（キャップ）を拡大して示したもので、脱落防止の凹凸部の構造を示す。
【図６】は本体の蓋を外した本体の側面を示す。
【図７】は本体の蓋を外した本体の構造を示す（上面）。
【図８】は本体の蓋を外した本体の構造を示す（側面）。
【符号の説明】１    注入管の蓋（キャップ）
１．  注入管
２．  簡易懸濁法容器本体の蓋
３．  簡易懸濁法容器の本体
４．  注入管の蓋（キャップ）と簡易懸濁法容器の蓋を連結する紐または帯状物
５．  簡易懸濁法容器の蓋と本体を接合するねじ部分
６．  注入管の蓋（キャップ）の脱落防止の凸状構造物
８．  注入管の蓋（キャップ）の脱落防止の凹状構造物